(57)【要約】【課題】表面の手触りがよく、弾力性があり、かつ、乳頭が接しても肌荒れを生じない弾力性を有し、バスト外観を調整して膨よかで美しいバスト外観を形成し得るバストパッドを得る。【解決手段】バストパッドは、高密度で伸縮性の編織布を用いてレモン形状のような袋状体１Ａを形成し、その内側に弁体４の端の開口４ｋを閉じて形成したものであり、発泡ビーズ５の充填量は袋状体１Ａが適度な膨らみを有し、外圧で部分的に変形し得る程の量としている。袋状体１Ａの表面が極めて手触りが良く、発泡ビーズ５と袋状体１Ａの伸縮性とが成す反撥力の小さい特異な弾性力のため、乳房付近に当接して着用の際、肌荒れ、圧迫感のない状態でバスト形状を膨よかで美しく保持できる。【選択図】　図１
2004143626.tif 000002
【特許請求の範囲】
【請求項１】
高密度で伸縮性の編織布を用いて所定形状の袋状体を形成し、その一端に弁体を設け、袋状体内に多数の微小発泡ビーズを弁体から充填した後、弁体端の開口を閉塞し、発泡ビーズは袋状体内で外圧に対し部分的に変形し得る程の量を充填して成るバストパッド。
【請求項２】
前記袋状体を所定形状に裁断した編織布を重ねて又は２つに折り重ね、その外周縁を弁体の一部を除き縫合して形成したことを特徴とする請求項１に記載のバストパッド。
【請求項３】
前記弁体を袋状体の一端に突出状に形成し、外周縁を縫合した袋状体を弁体を介して裏表を反転させ、弁体を経て微小発泡ビーズを所定量充填後弁体の開口を縫合し、この弁体を袋状体内に挿入後さらに弁体の端を縫合して形成したことを特徴とする請求項２に記載のバストパッド。
【請求項４】
前記袋状体をレモン形状としたことを特徴とする請求項１乃至３のいずれかに記載のバストパッド。
【発明の詳細な説明】
【０００１】
【発明の属する技術分野】
この発明は、バストを膨よかで美しく見せるためのバストパッドに関する。
【０００２】
【従来の技術】
バストを膨よかで美しく見せるよう形を整えるためのバストパッドは、従来より種々のものが提案されている。バストパッドを用いる対象物としては、ブラジャ、水着、ボディスーツ、カップ付きドレスなどがあるが、例えば水着用カップに装着する例として特開平７−９０７０３号公報（公報１）に開示されたものがある。この公報１の「水着用カップ」に使用される補助パッドと呼ばれるバストパッドは、いわゆるレモン形状とされ、その略下半分が所定の肉厚を備えている。
【０００３】
水着を着用の際、カップ部とバストとの間にこのバストパッドを挿入すると、パッドの肉厚部が乳頭部より下側を持上げる作用をしてバストアップを図ることができるとされている。このパッドの構成は、ウレタン材を芯材とし、この芯材の外側をトリコット地で覆って熱成形し、一体的に形成されている。
【０００４】
ブラジャ、水着等の衣料用のパッドとして、特開平８−３２５８１５号公報（公報２）に開示されたものが公知である。この衣料用パッドを軟質ウレタンフォーム、ポリエステル綿、あるいはその他の綿状物を用いた中素材を所定形状に形成し、その表面と裏面を天竺ニット等の表面素材と裏面素材とで覆い、周縁部を縁縫いした後パッド全体と周縁部を熱成形して周縁部に向かって順次肉薄となる自然な厚みに形成されている。
【０００５】
さらに、不燃性液体をポリウレタン製のフィルム又はシートで作られた袋内に注入された不燃性ブラジャパッドが特開２０００−３２８３１０号公報（公報３）により公知である。この公報３のブラジャパッドは水で膨らませた場合に、着用者が動いた際の乳房の動きが不自然となるのを改良するため、湿潤剤とグリセリン流体を組合わせた不燃性液体を用い、ポリウレタン材のパッド本体内を主室と管部分で接続されるテーパ室とに区画し、不燃性液体が両室間を移動することにより乳房の自然な動きに近づくことができるようにしたものである。
【０００６】
【発明が解決しようとする課題】
上述した公報１、２に開示されたバストパッドは、芯材の材料としてウレタン材やポリエステルの合成樹脂材を用い、その外側を薄い素材で覆って熱成形により一体化されたものであり、大量生産を前提として機械化に適した素材、形状、製造工程が採用されている。しかし、上記従来のバストパッドは、芯材として用いられている合成樹脂材がバストパッド全体の容積内に密に充填されて形成されており、合成樹脂材に弾力性があるとしても充填密度の高い状態での弾力性であるため、必ずしも乳頭部が当接した場合に違和感を与えない程十分に柔らかな弾力性であるとは言い難い。
【０００７】
又、外側の被膜素材は合成繊維の織布又は不織布が用いられているため、その肌触りもいわゆる「カサカサ」する感触であり、十分ではなく、長時間使用した場合には肌荒れを生じる可能性があり、特に上記いずれの公報のバストパッドも周縁部は硬くなっており、これも肌荒れの原因となる可能性がある。
【０００８】
さらに、公報３のブラジャパッドは、ポリウレタン製のシート又はフィルムでパッド本体が形成され、内部には不燃性液体が充填されているから、表面の手触りは良いが、このパッドは乳房の自然な動きに近づけることを目的としているため、弾力性が殆どなく、パッドの装着時に容易に変形し得るが、不燃性液体が自重で常に下方へ移動するため、パッド下部だけが部分的に膨らみ、バスト形状、外観を調整する機能が低い。
【０００９】
この発明は、上述した従来の問題点に留意して、表面の手触りがよく、弾力性があり、かつ、乳頭が接しても肌荒れを生じない弾力性を有し、バスト外観を調整して膨よかで美しいバスト外観を形成し得るバストパッドを提供することを課題とする。
【００１０】
【課題を解決するための手段】
この発明は、上記の課題を解決する手段として、高密度で伸縮性の編織布を用いて所定形状の袋状体を形成し、その一端に弁体を設け、袋状体内に多数の微小発泡ビーズを弁体から充填した後、弁体端の開口を閉塞し、発泡ビーズは袋状体内で外圧に対し部分的に変形し得る程の量を充填して成るバストパッドとしたのである。
【００１１】
上記構成のバストパッドは、ブラジャ、水着などの対象物に対して使用され、バスト外観を美しく整える作用をする。上記バストパッドは、例えば外観形状をレモン形状とした場合、袋状体内に充填された微小発泡ビーズにより中央部が適度な膨らみを有し、かつ全外周面に亘って反撥力のない適度な弾力性を有する。袋状体は高密度で伸縮性のある編織布で形成されているため、手触りがよく、柔らかな感触を有する。従って、乳房の形状を膨よかで美しい外観に調整し、乳頭などが当たっても肌荒れを生じることはない。
【００１２】
【実施の形態】
以下、この発明の実施の形態について図面を参照して説明する。図１は実施形態のバストパッドの正面図である。図示のバストパッド１は、高密度に伸縮性のある合成繊維で作られた編織布２を２枚重ねて袋状体１Ａを形成し、その袋状体１Ａ内に多数の微小発泡ビーズ５を充填して形成されている。図示の例では、袋状体１Ａはいわゆるレモン形状に形成されているが、その形状、大きさは任意であり、種々のデザインのものを採用し得る。袋状体１Ａは、弁体４を備えており、この弁体４を経て発泡ビーズ５を充填した後縫目７で弁体４の端を閉じてある。その製作過程については次の通りである。
【００１３】
図３に示すように、まず２枚の編織布２、２をレモン形状にカットする。このとき、その外周の所望の位置に後で弁体４となる突出片をそれぞれ形成しておく。但し、２枚の編織布２、２の外側面（図３の（ａ）図では内側面）は全く同じであり、目が細かく柔らかで手触りのよい感触が滑らかな高級感のある材料で形成され、上記２枚の編織布２、２を重ねてその外周縁を、弁体４の突出片の端を除いて、縫目３で連続して縫合する。突出片の両側部は縫目３で縫合され、突出片の端のみ縫合されていない部分が開口４ａとなる。縫目３はミシンで形成するが、このとき縫目３のピッチは１ｍｍ以下の細かいものとする必要がある。後に発泡ビーズ５が隙間から流出しないようにするためである。
【００１４】
上記のようにして縫合されて形成された袋状体１Ａを次に弁体４の開口４ａを介して裏返しする。これは、先端にフック状部を有する棒を開口４ａから挿入して袋状体１Ａの内側奥の適宜位置を引掛けて開口４ａの方へ寄せ、さらにフック状部を開口４ａから引抜くと上記袋状体１Ａは内側面と外側面が入れ替わる。こうして内側と外側を反転させた袋状体１Ａは、図３の（ｂ）図に示すように、外周縁に縫目３が見えなくなり、外周縁の所定位置に弁体４が突出した状態となる。
【００１５】
上記袋状体１Ａの内側へ弁体４の開口４ａを経て多数の微小発泡ビーズ５を充填する。この発泡ビーズ５の充填量は、充填された発泡ビーズ５による袋状体１Ａの膨らみが、最終的に形成されたバストパッド１として適度な膨らみとなるよう、即ちバストパッド１の中央部分が最も肉厚で、外周縁へ向かってなだらかに厚みが減少する形状となる迄の適宜な所定量である。又、袋状体１Ａの膨らみが編織布を過度に伸長させない適度な所定量である限り、多数の発泡ビーズ５は互いに位置が移動でき流動的な状態であり、指で外圧を加えると部分的に窪むことができる極めて高い柔軟性を併せ持つ。
【００１６】
なお、後で説明するように微小発泡ビーズ５は、直径０．５〜１ｍｍ程度の微小なビーズであり、静電気が帯電し易い性質のため、弁体４を経て袋状体１Ａ内へ充填する際に、外部へ流出しないようにすることは勿論、弁体４を閉じる際に僅かな隙間からでも微小発泡ビーズ５が外部へ流出しないように袋状体１Ａ内に充填された後、弁体４は図４に示すように縫目６で開口４ａが閉じられる。そして、図４の矢印ｆで示すように、弁体４は袋状体１Ａ内に挿入される。これは、指又は棒で弁体４の端を袋状体１Ａ内に差し込むようにして挿入すればよい。
【００１７】
さらに図１に示すように、上記弁体４が挿入された袋状体１Ａの端を弁体４が再び突出しないように縫目７で縫合して閉じる。但し、縫目７は図示のように装飾性を付すために袋状体１Ａの片側外周縁に沿って、あるいは図示していないが全周に沿って施してもよい。図中の４ｋは、弁体４の端の開口であるが、縫目７で内側が閉じられる。
【００１８】
以上がバストパッド１の製作過程の概略であるが、上記袋状体１Ａの材料は次の通りである。即ち、袋状体１Ａの編織布２は、主組成としてナイロン糸又はポリエステル糸を含み、これに５〜２０％のポリウレタン糸を用いたツーウェイトリコット素材にナイロン又はポリエステルのダル糸を含ませて高密度に編織された生地が用いられている。ダル糸は原糸生成の際に異型断面を形成するよう加工された糸であり、なめらかな風合いを出し、艶消しをしてソフトな色合いを出す。又、ツーウェイトリコット素材に、ポレウレタン弾性糸（伸縮する糸）を用いることにより縦横に高弾性回復性があり、優れたフィット感のある生地となる。なお、素材ゲージは図示の例では３２Ｇ、糸規格はナイロン又はポリエステルが５０ｄ（ディール）、ポリウレタンが４０ｄである。
【００１９】
又、上記袋状体１Ａ内に充填される微小発泡ビーズ５は、次のような材質、特性のものである。即ち、微小発泡ビーズ５は、粒径が０．５〜１ｍｍ程度で、発泡倍数２０〜３０として形成されたスチロール発泡の粒状のビーズである。スチロール発泡ビーズは、ポリエチレンモノマにブタンと少量のペタンを加えた発泡剤を添加し、撹拌、乾燥させ、さらに水蒸気で加熱、膨張させて球状のビーズとして得られる。上記ポリスチレンモノマにマイナスイオン粉末、あるいは遠赤外線粉末を微量に含ませてもよい。
【００２０】
上記の微小発泡ビーズ５の所定量を上記高密度、高伸縮性の編織布の袋状体１Ａ内に充填して使用する場合、充填量は袋状体１Ａが編織布の延びにより適度に膨張した状態となる。所定量とされるが、袋状体１Ａの膨張状態での弾力性は、強いゴムクッションのような反撥力のあるものではなく、部分的に指で押えるとその部分の発泡ビーズが互いに移動して他の発泡ビーズ５を介して袋状体１Ａを全体に膨張させると共に、その編織布の伸びが弾力性として作用する程のものである。
【００２１】
この弾力性は、丁度砂浜を歩くとき足指の先が砂に沈み込むときの反撥力のない柔らかい弾性と酷似した感触のものである。このような発泡ビーズ５と袋状体１Ａの協働作用による弾性力は、袋状体１Ａの表面が滑らかで柔らかい感触であることと相俟って、極めて手触りが良く、心地よい感触であり、ゴムクッション性の圧迫感のある従来の物品の弾力性とは異なる弾力性である。
【００２２】
以上のような弾力性及び手触りの良さを有するバストパッド１は、例えば図５に示すように、ブラジャＢと共に使用することによりバスト付近を膨よかにし、美しいバストラインを作り出すことができる。
【００２３】
【発明の効果】
以上、詳細に説明したように、この発明のバストパッドは、高密度で伸縮性の編織布で所定形状の袋状体を形成し、その一端に設けた弁体を経て内側に多数の微小発泡ビーズを、袋状体が適度な膨らみで、外圧で部分的に変形し得るに適当な所定量充填したものとしたから、袋状体の表面が滑らかで手触りがよく、かつ反撥力のない弾力性で乳房が保持され、バストの外観を膨よかで美しい形状に保持できるという優れた効果を奏する。
【図面の簡単な説明】
【図１】実施形態のバストパッドの正面図
【図２】（ａ）図１の矢視ＩＩａ−ＩＩａから見た断面図、（ｂ）図１の矢視ＩＩｂ−ＩＩｂから見た断面図
【図３】（ａ）、（ｂ）同上のバストパッドの製作工程の説明図
【図４】同上のバストパッドの製作工程の説明図
【図５】使用状態の説明図
【符号の説明】
１　バストパッド
１Ａ　袋状体
２　編織布
３　縫目
４　弁体
４ａ、４ｋ　開口
５　微小発泡ビーズ
６、７　縫目
【図１】
2004143626.tif 000003
【図２】
2004143626.tif 000004
【図３】
2004143626.tif 000005
【図４】
2004143626.tif 000006
【図５】
2004143626.tif 000007